(57)【要約】【課題】２重系電力変換装置の外部から、２重系の稼動側を確認することを可能とする。【解決手段】制御ユニット５ａ及び５ｂは、第１または第２の電力変換装置の中で、いずれかが稼動状態であるか否かを示す信号を出力する。表示部６は、制御ユニット５ａまたは５ｂからの信号に基づいて、第１または第２の電力変換装置の中で、いずれかが稼動状態であることを表示する。【選択図】      図１
2007267524.tif 000002
【特許請求の範囲】
【請求項１】
筐体の内部に設けられた第１及び第２の電力変換装置から構成される２重系電力変換装置において、
前記第１または第２の電力変換装置の中で、いずれかが稼動状態であるか否かを示す信号を出力する制御手段と、
前記制御手段からの信号に基づいて、前記第１または第２の電力変換装置の中で、いずれかが稼動状態であることを表示する表示手段と
を具備することを特徴とする２重系電力変換装置。
【請求項２】
前記表示手段は、
前記筐体に設けられる
ことを特徴とする請求項１に記載の２重系電力変換装置。
【請求項３】
前記第１及び前記第２の電力変換装置の各々は、
直流と交流の変換手段により発生する熱を冷却する第１及び第２の冷却手段を有し、
前記表示手段は、
前記第１または第２の冷却手段の近傍に設けられる
ことを特徴とする請求項１または２のいずれか１項に記載の２重系電力変換装置。
【請求項４】
前記筐体に取り付けられる保護カバーと、
前記保護カバーに設けられる窓と
を更に具備し、
前記表示手段は、
前記制御手段の近傍に設けられ、前記窓を通して前記稼動状態であることを表示する
ことを特徴とする請求項１または２のいずれか１項に記載の２重系電力変換装置。
【請求項５】
前記表示手段は、
複数設けられることを特徴とする請求項１に記載の２重系電力変換装置。
【請求項６】
前記第１及び第２の電力変換装置の動作を切り替える切替手段を更に具備し、
前記表示手段は、
前記切替手段と連動して、前記第１または第２の電力変換装置の中で、いずれかが稼動状態であることを表示する
ことを特徴とする請求項１に記載の２重系電力変換装置。
【請求項７】
前記制御手段は、
前記第１及び第２の電力変換装置の各々に設けられる第１及び第２の制御手段からなり、
前記第１及び第２の制御手段の各々は、
前記第１及び第２の電力変換装置の動作を切り替える切替手段を有し、
前記第１の制御手段は、
前記第２の電力変換装置が前記第１の電力変換装置に切り替えられたとき、前記第１の電力変換装置が稼動状態にあること、または前記第２の電力変換装置が稼動状態でないことを示す信号を出力し、
前記第２の制御手段は、
前記第１の電力変換装置が前記第２の電力変換装置に切り替えられたとき、前記第２の電力変換装置が稼動状態にあること、または前記第１の電力変換装置が稼動状態でないことを示す信号を出力する
ことを特徴とする請求項１に記載の２重系電力変換装置。
【請求項８】
前記表示手段は、
前記第１及び前記第２の電力変換装置のそれぞれに対応する表示板と、
前記表示板の各々に対応する表示灯と
を含み、
前記表示灯のいずれか一方が発光することによって、前記第１または第２の電力変換装置の中で、稼動状態であることを表示する
ことを特徴とする請求項１に記載の２重系電力変換装置。
【請求項９】
前記表示手段は、
前記第１及び前記第２の電力変換装置をそれぞれ示す表示板と、
前記表示板の各々の裏面に配置された表示灯と
を含み、
前記表示灯のいずれか一方の発光に伴って、当該表示灯の前面に配置された表示板が発光することによって、前記第１または第２の電力変換装置の中で、稼動状態であることを表示する
ことを特徴とする請求項１に記載の２重系電力変換装置。
【請求項１０】
前記表示手段は、
前記制御手段によって出力される信号に基づいて動作するリレーと、
前記第１及び第２の電力変換装置にそれぞれ対応する表示板と、
前記表示板の各々に対応する表示灯と
を含み、
前記リレーによって前記表示灯のいずれか一方を発光させることによって、前記第１または第２の電力変換装置の中で、稼動状態であることを表示する
ことを特徴とする請求項１に記載の２重系電力変換装置。
【請求項１１】
前記表示手段は、
表示灯を有し、前記表示灯が発光することによって前記第１または第２の電力変換装置のいずれか一方を表示する表示板と、
前記表示板の表示を切り替える切替手段と
を含み、
前記切替手段によって前記表示版の表示を切り替えることによって、前記第１または第２の電力変換装置の中で、稼動状態であることを表示する
ことを特徴とする請求項１に記載の２重系電力変換装置。
【請求項１２】
前記表示手段は、
表示灯を有し、前記表示灯が発光することによって前記第１または前記第２の電力変換装置のいずれか一方を表示する表示板を含み、
前記表示板の表示を切り替えることによって、前記第１または第２の電力変換装置の中で、稼動状態であることを表示する
ことを特徴とする請求項１に記載の２重系電力変換装置。
【請求項１３】
前記表示手段は、
前記第１または前記第２の電力変換装置をそれぞれ示す表示板と、
前記表示板の各々に対応してスライドするスライド手段と、
を含み、
前記スライド手段によって、前記表示板の各々に対応してスライドされることによって、前記第１または第２の電力変換装置の中で、稼動状態であることを表示する
ことを特徴とする請求項１に記載の２重系電力変換装置。
【請求項１４】
前記表示板は、
前記スライド手段に配置されており、
前記スライド手段は、
前記表示板の各々が配置される方向にスライドすることを特徴とする請求項１２に記載の２重系電力変換装置。
【請求項１５】
前記スライド手段は、
前記表示板の各々に対応して回転する回転手段を含むことを特徴とする請求項１２に記載の２重系電力変換装置。
【発明の詳細な説明】
【技術分野】
【０００１】
本発明は、鉄道車両の駆動用電力を供給する２重系方式の鉄道車両用電力変換装置に関する。
【背景技術】
【０００２】
一般的に、鉄道車両には、車両駆動用電力を供給する電力変換装置が設置されている。
【０００３】
近年の鉄道車両用の電力変換装置には、例えば制御ユニットを２重系とする２重系方式の電力変換装置（以下、２重系電力変換装置と表記）がある（例えば、特許文献１を参照）。
【０００４】
２重系電力変換装置であれば、一方の電力系が故障したときは、故障していない他方の電力系に切り替えて運転できる。このため、負荷を半減させる処理を行うことなくスペック通りの性能を保証することが可能となる。また、定期的に稼動側を切り替えることにより２重系部分の部品の長寿命化又は寿命の均一化を計っており、その稼動状況は運転台等で確認することが可能である。
【０００５】
ところで、車両の床下に取り付けられた筐体の内部は、通常、保護カバーにより外部からは見えない状態となっている。但し、通常では、例えばプラスチックで構成された窓を設けることにより、制御ユニットの表示部のみが外部から確認可能になっている。これにより、２重系電力変換装置の稼動状況が確認できる。同様に、２重系電力変換装置の稼動状況を知らせる例えばランプを筐体の外部又は保護カバー表面に取り付けることによっても、外部から２重系電力変換装置の稼動状況が確認可能となる。
【特許文献１】特開２００５−２８７１２９号公報
【発明の開示】
【発明が解決しようとする課題】
【０００６】
上記したように、従来の２重系電力変換装置においては、制御ユニットの表示部を確認することができる窓、または電力変換装置の稼動状況を知らせるランプ等を設けることによって、外部から電力変換装置の稼動状況を確認することができる。
【０００７】
しかしながら、窓又はランプを設けることによって電力変換装置の稼動状況を確認することは可能であるが、２重系電力変換装置のうち、どちらの電力系が稼動しているかまでは外部から確認することができない。
【０００８】
一般に、車両の床下に設置される２重系電力変換装置の電力系毎の稼動状況は、例えば車両の運転台にあるモニター等で確認することが可能である。
【０００９】
しかしながら、保守、試験を行う際に２重系電力変換装置の稼動側を確認するためには、保護カバーを開けて確認する必要があるため、安全面での問題がある。
【００１０】
また、保護カバーを開けることなく稼動状況を確認するためには、予め運転台で２重系方式の電力変換装置の稼動側を確認するか、または運転台と連絡を取って稼動側を確認する必要があるため、確認作業に時間がかかるという問題がある。
【００１１】
本発明の目的は、２重系電力変換装置の外部から、２重系の稼動側を容易に確認することが可能な２重系電力変換装置を提供することにある。
【課題を解決するための手段】
【００１２】
上記課題は、筐体の内部に設けられた第１及び第２の電力変換装置から構成される２重系電力変換装置において、前記第１または第２の電力変換装置の中で、いずれかが稼動状態であるか否かを示す信号を出力する制御手段と、前記制御手段からの信号に基づいて、前記第１または第２の電力変換装置の中で、稼動状態であることを表示する表示手段とを具備することを特徴とする２重系電力変換装置によって達成することができる。
【発明の効果】
【００１３】
本発明によれば、２重系電力変換装置の外部から、２重系の稼動側を容易に確認することができる。
【発明を実施するための最良の形態】
【００１４】
以下、図面を参照して、本発明の各実施形態について説明する。
【００１５】
［第１の実施形態］
まず、図１を参照して、本発明の第１の実施形態について説明する。図１は、本実施形態に係る２重系電力変換装置３を車体１の側方側から示す図である。
【００１６】
図１に示すように、車体１には筐体２が取り付けられており、この筐体２の内部には２重系電力変換装置３が設けられている。また、筐体２には、表示部６が設けられている。なお、筐体２には、例えば保護カバーが取り付けられており、筐体２の内部は見ることができない状態となっている。
【００１７】
２重系電力変換装置３は、冷却ユニット４ａ，４ｂ及び制御ユニット５ａ，５ｂを有する。２重系電力変換装置３は、この冷却ユニット４ａ，４ｂ及び制御ユニット５ａ，５ｂを２重系とする構成となっている。
【００１８】
２重系電力変換装置３の第１の電力変換装置は、冷却ユニット４ａ及び制御ユニット５ａを有する。また、２重系電力変換装置３の第２の電力変換装置は、冷却ユニット４ｂ及び制御ユニット５ｂを有する。
【００１９】
２重系電力変換装置３においては、冷却ユニット４ａが稼動状態にある場合には、制御ユニット５ａが稼動し、冷却ユニット４ｂ及び制御ユニット５ｂは待機状態にある。また、冷却ユニット４ｂが稼動状態にある場合、制御ユニット５ｂが稼動し、冷却ユニット４ａ及び制御ユニット５ａは待機状態にある。
【００２０】
冷却ユニット４ａ及び４ｂは、２重系電力変換装置３の筐体２内部に設けられる半導体素子のスイッチングによって直流から交流へ変換する回路（図示せず）により発生する熱を冷却する。また、冷却ユニット４ａ及び４ｂは、それぞれ検出部を有しており、当該検出部は、それぞれ冷却ユニット４ａまたは４ｂ内で不具合、例えば故障等が発生した場合、その旨を検知する。
【００２１】
制御ユニット５ａ及び５ｂは、２重系電力変換装置３を制御する。具体的には、制御ユニット５ａ及び５ｂは、例えば冷却ユニット４ａまたは４ｂの検出部によって検知された当該冷却ユニット４ａまたは４ｂの不具合に基づいて、２重系電力変換装置３の稼動状態を例えば第１の電力変換装置から第２の電力変換装置に、または第２の電力変換装置から第１の電力変換装置に切り替える等の処理を実行する。制御ユニット５ａ及び５ｂは、第１または第２の電力変換装置の中で、稼動状態にある側（以下、稼動側と表記）を示す信号を表示部５に出力する。
【００２２】
表示部６は、２重系電力変換装置３の稼動側を表示する。また、表示部６は、２重系電力変換装置３の筐体２の外側に設けられる。
【００２３】
次に、図２を参照して、表示部６について説明する。図２は、図１の表示部６の拡大図である。
【００２４】
表示部６には、表示灯７ａ，７ｂ及び表示板９ａ，９ｂが設けられている。表示灯７ａ及び７ｂは、例えば発光ダイオード（ＬＥＤ：light-emitting diode）またはランプにより光表示する。
【００２５】
表示板９ａは、第１の電力変換装置に対応する板であり、例えば「１系」が表示されている。表示板９ｂは、第２の電力変換装置に対応する板であり、例えば「２系」が表示されている。表示灯７ａは、表示板９ａに対応するように配置されており、表示灯７ｂは、表示板９ｂに対応するように配置されている。例えば、図２の場合においては、表示部６は、表示灯7ａが光表示することにより２重系電力変換装置３の第１の電力変換装置が稼動していることを示している。
【００２６】
次に、２重系電力変換装置３の第１の電力変換装置が第２の電力変換装置に切り替えられる処理について説明する。
【００２７】
この場合、２重系電力変換装置３の第１の電力変換装置が稼動状態にあるため、冷却ユニット４ａ及び制御ユニット５ａが稼動状態にある。
【００２８】
第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３の稼動側を第１の電力変換装置から第２の電力変換装置に切り替える。
【００２９】
この際、制御ユニット５ａから稼動側に切り替えられた制御ユニット５ｂは、表示部６に第２の電力変換装置が稼動していることを示す信号を出力する。つまり、当該信号は、２重系電力変換装置３の稼動側の切り替え後に稼動している制御ユニット（ここでは、制御ユニット５ｂ）によって出力される。例えば、第２の電力変換装置が第１の電力変換装置に切り替えられた場合においては、制御ユニット５ａが、表示部６に第１の電力変換装置が稼動していることを示す信号を出力する。
【００３０】
表示部６は、制御ユニット５ｂから出力された信号に基づいて、第２の電力変換装置を示す表示板９ｂに対応する表示灯７ｂを発光する。
【００３１】
よって、２重系電力変換装置３に対して、例えば保守、試験等を実施する者は、表示部６の表示灯７ｂが発光していることを目視することによって、当該２重系電力変換装置３の第２の電力変換装置が稼動していることを確認できる。
【００３２】
上記したように、本実施形態においては、２重系電力変換装置３の筐体２の外側に取り付けられた表示部５に、当該２重系電力変換装置３の稼動側を表示することによって、２重系電力変換装置３の外部から、その稼動側を確認することが可能となる。
【００３３】
なお、本実施形態では、冷却ユニット４ａまたは４ｂの検出部による通知に基づいて、２重系電力変換装置３の稼動側が切り替えられる場合を説明したが、他の方法、例えば当該２重系電力変換装置３を備える鉄道車両の運転台、または制御ユニット等で例えばスイッチによって稼動側が切り替えられる場合であっても同様に、制御ユニット５ａまたは５ｂから表示部６に稼動側を示す信号が出力されるため、表示部６で稼動側を表示することが可能である。
【００３４】
また、制御ユニット５ａ及び５ｂは、第１または第２の電力変換装置のうち稼動側を示す信号ではなく、第１または第２の電力変換装置のうち稼動状態にない側を示す信号を出力する構成でも構わない。この場合、表示部６は、当該信号によって示される側でない方を稼動側として処理を実行する構成とする。
【００３５】
また、表示部６の表示板９ａ及び９ｂは、第１及び第２の電力変換装置のそれぞれを示す構成であれば良く、その表示は「１系」または「２系」に限られない。例えば、単に「１」または「２」のような表示であっても構わない。
【００３６】
［第１の変形例］
次に、第１の実施形態の第１の変形例について説明する。図３は、本変形例に係る２重系電力変換装置３１を車体１の側方側から示す図である。なお、図１と同様の部分には同一参照符号を付してその詳しい説明を省略する。ここでは、図１と異なる部分について主に述べる。以下の各変形例についても同様にして重複した説明を省略する。
【００３７】
図３の２重系電力変換装置の特徴は、表示部６が冷却ユニット４ａ及び４ｂの近傍の筐体２１に設けられている点にある。
【００３８】
図４は、図３の表示部６の拡大図である。なお、図２と同様の部分には同一参照符号を付してその詳しい説明を省略する。ここでは、図２と異なる部分について主に述べる。以下の各変形例についても同様にして重複した説明を省略する。
【００３９】
図４に示すように、第１の電力変換装置を示す表示板９ａ及び当該表示板９ａに対応する表示灯７ａは、冷却ユニット４ａの近傍の筐体２１に設けられている。また、第２の電力変換装置を示す表示板９ｂ及び当該表示板９ｂに対応する表示灯７ｂは、冷却ユニット４ｂの近傍の筐体２１に設けられている。
【００４０】
２重系電力変換装置３１の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３１の稼動側を第１の電力変換装置から第２の電力変換装置に切り替える。
【００４１】
この際、制御ユニット５ａから稼動側に切り替えられた制御ユニット５ｂは、表示部６に第２の電力変換装置が稼動していることを示す信号を出力する。
【００４２】
表示部６は、制御ユニット５ｂから出力された信号に基づいて、第２の電力変換装置を示す表示板９ｂに対応する表示灯７ｂを発光する。
【００４３】
よって、２重系電力変換装置３に対して、例えば保守、試験等を実施する者は、表示部６の表示灯７ｂが発光していることを目視することによって、当該２重系電力変換装置３１の第２の電力変換装置が稼動していることを確認できる。
【００４４】
上記したように本変形例においては、冷却ユニット４ａの近傍に第１の電力変換装置を示す表示板９ａ及び当該表示板９ａに対応する表示灯７ａを設け、冷却ユニット４ｂの近傍に第２の電力変換装置を示す表示板９ｂ及び当該表示板９ｂに対応する表示灯７ｂを設けることによって、冷却ユニット４ａまたは４ｂの稼動側の近傍に設けられた表示灯７ａまたは７ｂが発光するので、上記した第１の実施形態に比べ、より簡単に２重系電力変換装置３１の外部から、その稼動側を確認することが可能となる。
【００４５】
［第２の変形例］
次に、第１の実施形態の第２の変形例について説明する。図５は、本変形例に係る２重系電力変換装置３２を車体１の側方側から示す図である。
【００４６】
図５の２重系電力変換装置３２の特徴は、表示部６が制御ユニット５ａ及び５ｂの近傍の筐体２２に設けられており、制御ユニット５ａ及び５ｂの前面に取り付けられている保護カバーには、当該表示部６を確認するための窓５０が設けられている点にある。
【００４７】
図６は、図５の保護カバーを省略した表示部６の拡大図である。図６に示すように、第１の電力変換装置を示す表示板９ａ及び当該表示板９ａに対応する表示灯７ａは、制御ユニット５ａの近傍の筐体２２に設けられている。また、第２の電力変換装置を示す表示板９ｂ及び当該表示板９ｂに対応する表示灯７ｂは、制御ユニット５ｂの近傍の筐体２２に設けられている。
【００４８】
表示板９ａ及び９ｂ、表示灯７ａ及び７ｂは、保護カバーの前面に設けられた窓５０から確認することができる。
【００４９】
２重系電力変換装置３２の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３２の稼動側を第１の電力変換装置から第２の電力変換装置に切り替える。
【００５０】
この際、制御ユニット５ａから稼動側に切り替えられた制御ユニット５ｂは、表示部６に第２の電力変換装置が稼動していることを示す信号を出力する。
【００５１】
表示部６は、制御ユニット５ｂから出力された信号に基づいて、第２の電力変換装置を示す表示板９ｂに対応する表示灯７ｂを発光する。
【００５２】
よって、２重系電力変換装置３２に対して、例えば保守、試験等を実施する者は、表示部６の表示灯７ｂが発光していることを目視することによって、当該２重系電力変換装置３２の第２の電力変換装置が稼動していることを確認できる。
【００５３】
上記したように本変形例においては、前述した第１の変形例と同様に、制御ユニット５ａまたは５ｂの稼動側の近傍に設けられた表示灯７ａまたは７ｂが発光するので、第１の実施形態に比べ、より簡単に２重系電力変換装置３２の外部から、その稼動側を確認することが可能となる。
【００５４】
［第３の変形例］
次に、第１の実施形態の第３の変形例について説明する。図７は、本変形例に係る２重系電力変換装置３３を車体１の側方側から示す図である。
【００５５】
図７の２重系電力変換装置３３の特徴は、２重系電力変換装置３３の稼動側を表示する表示部６が複数設けられている点にある。図７に示すように、２重系電力変換装置３３には、例えば前述した第１の変形例に係る表示部６及び第２の変形例に係る表示部６が設けられている。
【００５６】
図８は、図７に示される前述した第１の変形例に係る表示部６の拡大図である。図８に示すように、第１の電力変換装置を示す表示板９ａ及び当該表示板９ａに対応する表示灯７ａは、冷却ユニット４ａの近傍の筐体２３に設けられている。また、第２の電力変換装置を示す表示板９ｂ及び当該表示板９ｂに対応する表示灯７ｂは、冷却ユニット４ｂの近傍の筐体２３に設けられている。
【００５７】
図９は、図７に示される前述した第２の変形例に係る表示部６の拡大図である。図９に示すように、第１の電力変換装置を示す表示板９ａ及び当該表示板９ａに対応する表示灯７ａは、制御ユニット５ａの近傍の筐体２３に設けられている。また、第２の電力変換装置を示す表示板９ｂ及び当該表示板９ｂに対応する表示灯７ｂは、制御ユニット５ｂの近傍の筐体２３に設けられている。
【００５８】
２重系電力変換装置３３の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３２の稼動側を第１の電力変換装置から第２の電力変換装置に切り替える。
【００５９】
この際、制御ユニット５ａから稼動側に切り替えられた制御ユニット５ｂは、表示部６及び５ｃに第２の電力変換装置が稼動していることを示す信号を出力する。
【００６０】
表示部６及び５ｃは、制御ユニット５ｂから出力された信号に基づいて、それぞれ第２の電力変換装置を示す表示板９ｂに対応する表示灯７ｂを発光する。
【００６１】
よって、２重系電力変換装置３３に対して、例えば保守、試験等を実施する者は、表示部６または５ｃのいずれかの表示灯７ｂが発光していることを目視することによって、当該２重系電力変換装置３３の第２の電力変換装置が稼動していることを確認できる。
【００６２】
上記したように本変形例においては、複数設けられた表示部６のうち、いずれかの表示灯を確認すれば、２重系電力変換装置３３の外部から、その稼動側を確認することが可能となる。
【００６３】
［第２の実施形態］
次に、第２の実施形態について説明する。図１０は、本実施形態に係る２重系電力変換装置３４を車体１の側方側から示す図である。
【００６４】
図１０の２重系電力変換装置３４の特徴は、表示部６１が当該２重系電力変換装置３４の稼動側を表示し、かつ当該稼動側を切り替えるスイッチ１０を備える点にある。
【００６５】
図１１は、図１０の表示部６１の拡大図である。図１１に示すように、スイッチ１０の表示板１０ａまたは１０ｂは、稼動側を例えばＬＥＤ等により発光表示する。表示板１０ａは、第１の電力変換装置を示し、表示板１０ｂは、第２の電力変換装置を示す。また、スイッチ１０は、筐体２４の内部に設けられるため、スイッチ１０の表示板１０ａまたは１０ｂによる稼動側の表示は、保護カバーの前面に設けられた窓５１から確認することができる。
【００６６】
図１２は、図１０の表示部６１を図１０のＹ方向から示す図である。図１２に示すように、スイッチ１０に設けられる表示板１０ａ及び１０ｂは、押しボタンの構成となっており、保守、試験等を実施する者等により押されることによって電力変換装置３４の稼動側が切り替えられる。
【００６７】
２重系電力変換装置３４の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３４の稼動側を第１の電力変換装置から第２の電力変換装置に切り替える。
【００６８】
この際、制御ユニット５ａから稼動側に切り替えられた制御ユニット５ｂは、表示部６１に２重系電力変換装置３４の第２の電力変換装置が稼動していることを示す信号を出力する。
【００６９】
表示部６１は、制御ユニット５ｂから出力された信号に基づいて、第２の電力変換装置を示す表示板１０ｂを発光表示する。
【００７０】
よって、２重系電力変換装置３４に対して、例えば保守、試験等を実施する者は、表示部６１の表示板１０ｂが発光していることを目視することによって、当該２重系電力変換装置３４の第２の電力変換装置が稼動していることを確認できる。
【００７１】
上記したように本実施形態においては、２重系電力変換装置３４の稼動側を表示し、かつ当該稼動側を切り替えるスイッチ１０を設けることによって、２重系電力変換装置３４の外部からその稼動側を確認することが可能となる。また、スイッチ１０により２重系電力変換装置３４の稼動側を自由に切り替えることができるため、２重系電力変換装置３４の例えば定期検査、点検時等に２重系電力変換装置３４の第１及び第２の電力変換装置の動作確認を２重系電力変換装置３４で行うことが可能となる。
【００７２】
［第３の実施形態］
次に、第３の実施形態について説明する。図１３は、本実施形態に係る２重系電力変換装置３５を車体１の側方側から示す図である。
【００７３】
図１３の２重系電力変換装置３５の表示部６２は、筐体２５の内部に設けられるため、前述した第２の実施形態と同様に、保護カバーの前面に窓５１を設けており、当該窓５１から２重系電力変換装置３５の稼動側を確認することができる。
【００７４】
図１４は、表示部６２の拡大図であり、図１５は、表示部６２を図１３のＹ方向から示す図である。
【００７５】
２重系電力変換装置３５の特徴は、図１４及び１５に示すように、表示部６２が、２重系電力変換装置３５の第１の電力変換装置を示す表示板１９ａ及び第２の電力変換装置を示す表示板１９ｂを有し、その裏面側に例えばＬＥＤ１７ａ及び１７ｂがそれぞれ配置される点にある。表示部６２は、ＬＥＤ１７ａまたは１７ｂが発光することにより表示板１９ａまたは１９ｂが発光し、２重系電力変換装置３５の稼動側を表示する。
【００７６】
２重系電力変換装置３５の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３５の稼動側を第１の電力変換装置から第２の電力変換装置に切り替える。
【００７７】
この際、制御ユニット５ａから稼動側に切り替えられた制御ユニット５ｂは、表示部６２に２重系電力変換装置３５の第２の電力変換装置が稼動していることを示す信号を出力する。
【００７８】
表示部６２は、制御ユニット５ｂから出力された信号に基づいて、第２の電力変換装置を示す表示板１９ｂの裏面側に配置されたＬＥＤ１７ｂを発光する。当該ＬＥＤ１７ｂの発光によって、表示板１９ｂは発光する。
【００７９】
よって、２重系電力変換装置３５に対して、例えば保守、試験等を実施する者は、表示部６２の表示板１９ｂが発光していることを目視することによって、当該２重系電力変換装置３５の第２の電力変換装置が稼動していることを確認できる。
【００８０】
上記したように本実施形態においては、２重系電力変換装置３５の表示部６２に設けられた表示板１９ａ及び１９ｂの裏面側にＬＥＤ１７及び１７ｂを配置することによって、当該ＬＥＤ１７ａまたは１７ｂの発光に伴って表示板１９ａまたは１９ｂも発光するため、２重系電力変換装置３５の外部から、その稼動側を確認することが可能となる。
【００８１】
［第４の実施形態］
次に、第４の実施形態について説明する。本実施形態に係る２重系電力変換装置の構成は、前述した第３の実施形態に係る２重系電力変換装置３５の表示部６２に代えて表示部６３を備える構成であり、その他の構成は２重系電力変換装置３５と同様である。本実施形態に係る２重系電力変換装置は、図１３の２重系電力変換装置３５として説明し、表示部６３以外の構成についても、図１３を用いて説明する。なお、以下の各実施形態または各変形例についても同様にして説明する。
【００８２】
表示部６３は、筐体２５の内部に設けられるため、前述した第３の実施形態と同様に保護カバーの前面に設けられた窓５１から確認することができる。
【００８３】
図１６は、表示部６３の拡大図であり、図１７は、表示部６３を図１３のＹ方向から示す図である。表示部６３の特徴は、図１６及び１７に示すように、２重系電力変換装置３５の第１及び第２の電力変換装置をそれぞれ示す表示板２９ａ及び２９ｂの隣に、当該表示板２９ａ及び２９ｂに対応して稼動状況を示す表示灯２７ａ及び２７ｂ付のリレー１２ａ及び１２ｂをそれぞれ配置し、この表示灯２７ａまたは２７ｂの発光により稼動側を表示する点にある。
【００８４】
２重系電力変換装置３５の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３５の稼動側を第１の電力変換装置から第２の電力変換装置に切り替える。
【００８５】
この際、制御ユニット５ａから稼動側に切り替えられた制御ユニット５ｂは、表示部６３に２重系電力変換装置３５の第２の電力変換装置が稼動していることを示す信号を出力する。
【００８６】
表示部６３のリレー１２ｂは、制御ユニット５ｂから出力された信号に基づいて動作し、当該リレー１２ｂによって表示灯２７ｂが発光する。
【００８７】
よって、２重系電力変換装置３５に対して、例えば保守、試験等を実施する者は、リレー１２ｂの表示灯２７ｂが発光していることを目視することによって、当該２重系電力変換装置３５の第２の電力変換装置が稼動していることを確認できる。
【００８８】
上記したように本実施形態においては、２重系電力変換装置３５の稼動側に対応する表示灯２７ａまたは２７ｂがリレー１２ａまたは１２ｂによって発光することによって、２重系電力変換装置３５の外部から、その稼動側を確認することが可能となる。
【００８９】
［第５の実施形態］
次に、第５の実施形態について説明する。本実施形態は、前述した第３の実施形態に係る２重系電力変換装置３５の表示部６２に代えて表示部６４を備える。
【００９０】
図１８は、表示部６４の拡大図であり、図１９は、表示部６４を図１３のＹ方向から示す図である。表示部６４の特徴は、図１８及び１９に示すように、２重系電力変換装置３５の稼動側を示す表示板１３が例えばＬＥＤ表示となっており、当該ＬＥＤにより２重系電力変換装置３５の第１の電力変換装置が稼動していることを示す例えば「１」、第２の電力変換装置が稼動していることを示す例えば「２」を表示する点にある。表示部６４は、筐体２５の内部に設けられるため、前述した第３の実施形態と同様に保護カバーの前面に設けられた窓５１から確認することができる。
【００９１】
２重系電力変換装置３５の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３５の稼動側を第１の電力変換装置から第２の電力変換装置に切り替える。
【００９２】
この際、制御ユニット５ａから稼動側に切り替えられた制御ユニット５ｂは、表示部６３に２重系電力変換装置３５の第２の電力変換装置が稼動していることを示す信号を出力する。
【００９３】
表示部６３は、制御ユニット５ｂから出力された信号に基づいて、表示板３９のＬＥＤ表示を、２重系電力変換装置３５の第１の電力変換装置を示す「１」から第２の電力変換装置を示す「２」に切り替える。
【００９４】
よって、２重系電力変換装置３５に対して、例えば保守、試験等を実施する者は、表示板３９に表示されている「２」を目視することによって、当該２重系電力変換装置３５の第２の電力変換装置が稼動していることを確認できる。
【００９５】
上記したように本実施形態においては、表示板３９の例えばＬＥＤ表示を「１」から「２」、または「２」から「１」に切り替えることによって、２重系電力変換装置３５の外部から、その稼動側を確認することが可能となる。
【００９６】
［第６の実施形態］
次に、第６の実施形態について説明する。本実施形態は、前述した第３の実施形態に係る２重系電力変換装置３５の表示部６２に代えて表示部６５を備える。
【００９７】
図２０は、表示部６５の拡大図であり、図２１は、表示部６５を図１３のＹ方向から示す図である。表示部６５の特徴は、図２０及び２１に示すように、２重系電力変換装置３５の第１及び第２の電力変換装置をそれぞれ示す表示板４９ａ及び４９ｂの各々に対応して、矢印１４０に示すように上下にスライドする機能を有するスライド機器１４を有し、当該表示板４９ａ及び４９ｂは、スライド機器１４の表面に上下に配置されている点にある。また、２重系電力変換装置３５の内部を確認するための窓５２は、表示板４９ａまたは４９ｂの片側だけが確認可能な大きさであり、表示板４９ａまたは４９ｂに示されている例えば「１系」または「２系」の表示は、その窓５２を通してされる。
【００９８】
２重系電力変換装置３５の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３５の稼動側を第１の電力変換装置から第２の電力変換装置に切り替える。
【００９９】
この際、制御ユニット５ａから稼動側に切り替えられた制御ユニット５ｂは、表示部６３に２重系電力変換装置３５の第２の電力変換装置が稼動していることを示す信号を出力する。
【０１００】
表示部６３は、制御ユニット５ｂから出力された信号に基づいて、スライド機器１４の表示板４９ｂを、窓５２から確認可能なように上方向にスライドする。
【０１０１】
よって、２重系電力変換装置３５に対して、例えば保守、試験等を実施する者は、窓５２から表示板４９ｂを目視することによって、当該２重系電力変換装置３５の第２の電力変換装置が稼動していることを確認できる。
【０１０２】
上記したように本実施形態においては、スライド機器１４がスライドすることによって、窓５２を通して第１の電力変換装置を示す表示板４９ａまたは第２の電力変換装置を示す表示板４９ｂが表示されるので、２重系電力変換装置３５の外部から、その稼動側を確認することが可能となる。
【０１０３】
［第１の変形例］
次に、第６の実施形態の第９の変形例について説明する。本変形例は、前述した第６の実施形態に係る２重系電力変換装置３５の表示部６２に代えて表示部６６を備える。
【０１０４】
図２２は、表示部６６の拡大図であり、図２３は、表示部６６を図１３のＹ方向から示す図である。表示部６６の特徴は、図２２及び２３に示すように、２重系電力変換装置３５の第１及び第２の電力変換装置を示す表示板５９ａ及び５９ｂの隣に、矢印１４０ａに示すように上下にスライドする機能を有する機器１４ａが配置され、この機器１４ａに取り付けられた部品１４ｂが停止する位置によって稼動状況を、窓５１を通して表示する点にある。
【０１０５】
部品１４ｂは、２重系電力変換装置３５の稼動側を示すしるしとして、例えばＬＥＤ等の表示灯、または色のついた板等である。当該部品１５ｂが、表示板５９ａまたは５９ｂに対応する位置に停止することによって、２重系電力変換装置３５の稼動側を表示する。
【０１０６】
２重系電力変換装置３５の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３５の稼動側を第１の電力変換装置から第２の電力変換装置に切り替える。
【０１０７】
この際、制御ユニット５ａから稼動側に切り替えられた制御ユニット５ｂは、表示部６６に２重系電力変換装置３５の第２の電力変換装置が稼動していることを示す信号を出力する。
【０１０８】
表示部６６は、制御ユニット５ｂから出力された信号に基づいてスライドするスライド機器１４ａの部品１４ｂを、表示板５９ｂによって示される例えば「２系」に対応する位置に停止するように、下方向にスライドする。
【０１０９】
よって、２重系電力変換装置３５に対して、例えば保守、試験等を実施する者は、窓５１から表示板５９ｂに表示されている「２系」に対応する位置に停止している部品１５ｂを目視することによって、当該２重系電力変換装置３５の第２の電力変換装置が稼動していることを確認できる。
【０１１０】
上記したように本変形例においては、スライド機器１４ａに取り付けられている部品１４ｂをスライドさせ、「１系」または「２系」に対応する位置に部品１４ｂを停止させることによって、２重系電力変換装置３５の外部から、その稼動側を確認することが可能となる。
【０１１１】
［第２の変形例］
次に、第６の実施形態の第２の変形例について説明する。本変形例は、前述した第６の実施形態に係る２重系電力変換装置３５の表示部６２に代えて表示部６７を備える。
【０１１２】
図２４は、表示部６７の拡大図であり、図２５は、表示部６７を図１３のＹ方向から示す図である。表示部６７の特徴は、図２４及び２５に示すように、２重系電力変換装置３５の第１及び第２の電力変換装置をそれぞれ示す表示板４９ａ及び４９ｂの各々に対応して、矢印１４０ｂに示すように上下に回転する機能を有する回転機器１５を有し、当該表示板６９ａ及び６９ｂは、回転機器１５の表面に上下に配置されている点にある。
【０１１３】
表示部６７は、筐体２５の内部に設けられるため、前述した第６の実施形態と同様に保護カバーの前面に設けられた窓５２から確認することができる。
【０１１４】
２重系電力変換装置３５の第１の電力変換装置が稼動状態にあるとき、例えば冷却ユニット４ａ内で不具合が生じた場合、冷却ユニット４ａの検出部は、その旨を検知し、制御ユニット５ａに通知する。制御ユニット５ａは、当該通知に基づいて、２重系電力変換装置３５の稼動側を第１の電力変換装置から第２の電力変換装置に切り替える。
【０１１５】
この際、制御ユニット５ａから稼動側に切り替えられた制御ユニット５ｂは、表示部６７に２重系電力変換装置３５の第２の電力変換装置が稼動していることを示す信号を出力する。
【０１１６】
表示部６７は、制御ユニット５ｂから出力された信号に基づいて回転する回転機器１５に取り付けられている表示板６９ｂを、窓５２から確認可能なように上方向に回転する。
【０１１７】
よって、２重系電力変換装置３５に対して、例えば保守、試験等を実施する者は、窓５２から表示板６９ｂに表示されている例えば「２系」を目視することによって、当該２重系電力変換装置３５の第２の電力変換装置が稼動していることを確認できる。
【０１１８】
上記したように本変形例においては、回転機器１５が回転することによって、窓５２を通して「１系」または「２系」が表示されるので、２重系電力変換装置３５の外部から、その稼動側を確認することが可能となる。
【０１１９】
なお、本発明は、上記実施形態またはその変形例そのままに限定されるものではなく、実施段階ではその要旨を逸脱しない範囲で構成要素を変形して具体化できる。また、上記実施形態またはその変形例に開示されている複数の構成要素の適宜な組み合わせにより種々の発明を形成できる。例えば、実施形態またはその変形例に示される全構成要素からいくつかの構成要素を削除してもよい。更に、異なる実施形態またはその変形例に亘る構成要素を適宜組合せてもよい。
【図面の簡単な説明】
【０１２０】
【図１】本発明の第１の実施形態に係る２重系電力変換装置３を車体１の側方側から示す図。
【図２】図１の表示部６の拡大図。
【図３】上記第１の実施形態の第１の変形例に係る２重系電力変換装置３１を車体１の側方側から示す図。
【図４】図３の表示部６の拡大図。
【図５】上記第１の実施形態の第２の変形例に係る２重系電力変換装置３２を車体１の側方側から示す図。
【図６】図５の表示部６の拡大図。
【図７】上記第１の実施形態の第３の変形例に係る２重系電力変換装置３３を車体１の側方側から示す図。
【図８】図７に示される前述した第１の変形例に係る表示部６の拡大図。
【図９】図７に示される前述した第２の変形例に係る表示部６の拡大図。
【図１０】本発明の第２の実施形態に係る２重系電力変換装置３４を車体１の側方側から示す図。
【図１１】図１０の表示部６１の拡大図。
【図１２】図１０の表示部６１を図１０のＹ方向から示す図。
【図１３】本発明の第３の実施形態に係る２重系電力変換装置３５を車体１の側方側から示す図。
【図１４】図１３の表示部６２の拡大図。
【図１５】図１３の表示部６２を図１３のＹ方向から示す図。
【図１６】本発明の第４の実施形態に係る表示部６３の拡大図。
【図１７】図１６の表示部６３を図１３のＹ方向から示す図。
【図１８】本発明の第５の実施形態に係る表示部６４の拡大図。
【図１９】図１８の表示部６３を図１３のＹ方向から示す図。
【図２０】本発明の第６の実施形態に係る表示部６５の拡大図。
【図２１】図２０の表示部６５を図１３のＹ方向から示す図。
【図２２】上記第６の実施形態の第１の変形例に係る表示部６６の拡大図。
【図２３】図２２の表示部６６を図１３のＹ方向から示す図。
【図２４】上記第６の実施形態の第２の変形例に係る表示部６７の拡大図。
【図２５】図２４の表示部６７を図１３のＹ方向から示す図。
【符号の説明】
【０１２１】
１…車体、２，２１，２２，２３，２４，２５…筐体、３，３１，３２，３３，３４，３５…２重系電力変換装置、４ａ，４ｂ…冷却ユニット、５ａ，５ｂ…制御ユニット、６，６１，６２，６３，６４，６５，６６，６７…表示部、５０，５１，５２…窓、７ａ，７ｂ…表示灯、９ａ，９ｂ…表示板、１０…スイッチ、１０ａ，１０ｂ…表示板、１２ａ，１２ｂ…リレー、１４，１５ａ…スライド機器、１５ｂ…部品、１５…回転機器、１７ａ，１７ｂ…ＬＥＤ、１９ａ，１９ｂ…表示板、２７ａ，２７ｂ…表示灯、２９ａ，２９ｂ…表示板、３９…表示板、４９ａ，４９ｂ…表示板、５９ａ，５９ｂ…表示板、６９ａ，６９ｂ…表示板。
【図１】
2007267524.tif 000003
【図２】
2007267524.tif 000004
【図３】
2007267524.tif 000005
【図４】
2007267524.tif 000006
【図５】
2007267524.tif 000007
【図６】
2007267524.tif 000008
【図７】
2007267524.tif 000009
【図８】
2007267524.tif 000010
【図９】
2007267524.tif 000011
【図１０】
2007267524.tif 000012
【図１１】
2007267524.tif 000013
【図１２】
2007267524.tif 000014
【図１３】
2007267524.tif 000015
【図１４】
2007267524.tif 000016
【図１５】
2007267524.tif 000017
【図１６】
2007267524.tif 000018
【図１７】
2007267524.tif 000019
【図１８】
2007267524.tif 000020
【図１９】
2007267524.tif 000021
【図２０】
2007267524.tif 000022
【図２１】
2007267524.tif 000023
【図２２】
2007267524.tif 000024
【図２３】
2007267524.tif 000025
【図２４】
2007267524.tif 000026
【図２５】
2007267524.tif 000027